(57)【要約】【課題】靴からはみ出しにくく、不快感が少ないカバーソックスの提供。【解決手段】足首及び足の甲部分を露出させる開口部（３）が設けられたカバーソックス（１０）において、足指を覆う第１生地（１１）と、前記第１生地（１１）に縫製され、足の側面及びかかとを覆う第２生地（１２）と、を備え、前記第１生地（１１）と前記第２生地（１２）とは重ね合わされることなく縫製され、縫製された互いの端面は当接し、前記開口部（３）の周縁部は、前記第１生地（１１）の甲側の上端と、前記第２生地（１２）の甲側の上端とにより構成され、前記開口部（３）の足指側の周縁部の形状は、スクエア形状であるカバーソックス（１０）。【選択図】図１
0003225875.tif 000002
【実用新案登録請求の範囲】
【請求項１】
足首及び足の甲部分を露出させる開口部（３）が設けられたカバーソックス（１０，５０）において、
足指を覆う第１生地（１１，２１）と、
前記第１生地（１１，２１）に縫製され、足の側面及びかかとを覆う第２生地（１２，２２）とを備え、
前記第１生地（１１，２１）と前記第２生地（１２，２２）とは重ね合わされることなく縫製され、縫製された互いの端面は当接し、
前記開口部（３）の周縁部は、前記第１生地（１１，２１）の甲側の上端と、前記第２生地（１２，２２）の甲側の上端とにより構成され、
前記開口部（３）の足指側の周縁部の形状は、スクエア形状である
カバーソックス（１０，５０）。
【請求項２】
前記第１生地（１１，２１）の上端は、足の幅方向の長さが最大となる第１位置（ＹＬ）において、幅方向に直線状に延び、
前記第１生地（１１，２１）と前記第２生地（１２，２２）とは、互いの足の幅方向両側の側端が縫製され、前記側端は足指の下側の下端から斜め上方に延びて、前記第１位置（ＹＬ）にある上端に至る
請求項１に記載のカバーソックス（１０，５０）。
【請求項３】
前記第１生地（１１，２１）の上端は、足の幅方向の長さが最大となる第１位置（ＹＬ）において、足の幅方向に直線状に延び、
前記第１生地（１１，２１）と前記第２生地（１２，２２）とは、互いの足の幅方向両側の側端が縫製され、前記側端は記第１生地（１１，２１）の上端から斜め下方に延びて、足底側の下端へ至る
請求項１に記載のカバーソックス（１０，５０）。
【請求項４】
前記カバーソックス（１０，５０）のかかとから足指の先までの下端のラインは、湾曲形状を有する
請求項１〜３のいずれか一項に記載のカバーソックス（１０，５０）。
【請求項５】
前記カバーソックス（１０，５０）を足に着用した場合に、足の幅方向の長さが最小となる第２位置（ＹＳ）における前記カバーソックス（１０，５０）の下端の高さ位置が、足の幅方向の長さが最大となる第１位置（ＹＬ）における下端よりも高い
請求項４に記載のカバーソックス（１０，５０）。
【請求項６】
前記カバーソックス（１０，５０）を足に着用した場合に、足の幅方向の長さが最小となる第２位置（ＹＳ）における前記カバーソックス（１０，５０）の幅方向両側の側端が、足の幅方向の長さが最大となる第１位置（ＹＬ）における側端よりも幅方向中心側に位置する
請求項４に記載のカバーソックス（１０，５０）。
【請求項７】
前記スクエア形状を有する前記開口部（３）の周縁部の角は、略９０°の角度を有する
請求項１〜６のいずれか一項に記載のカバーソックス（１０，５０）。
【考案の詳細な説明】
【技術分野】
【０００１】
本考案は、カバーソックスに関する。
【背景技術】
【０００２】
従来、履き口が大きく開口し、足の甲部分を露出させるカバーソックスが提供されている。カバーソックスは、靴内の蒸れによる不快感を軽減するだけでなく、着用しても靴の内側に隠れて見えないため、素足で靴を着用しているかのような外観を作り出すことができる。
【０００３】
カバーソックスのなかには、袋状に編成された１つの編地からなるものの他、複数の編地が縫製又は接着テープにより連結されたものもある（例えば、特許文献１及び２参照）。
【先行技術文献】
【特許文献】
【０００４】
【特許文献１】特開２０１６−５０３７３号公報
【特許文献２】特開２０１７−１４６６９号公報
【考案の概要】
【考案が解決しようとする課題】
【０００５】
１つの編地からなるカバーソックスの開口部周縁は、丸くカーブする。このようなカバーソックスは、ローファーのように履き口がスクエア形状の靴を着用したときに、スクエアの角からはみ出しやすい。
【０００６】
一方、複数の編地からなるカバーソックスによれば、端部が直線状の編地を交差させて開口部を構成することにより、スクエア形状の開口部を形成することができる。しかし、編地の交差部分では編地同士又は編地と接着テープとの重なりができる。この重なりが足を圧迫し、不快感を与えやすい。
【０００７】
本考案は、靴からはみ出しにくく、不快感が少ないカバーソックスの提供を目的とする。
【課題を解決するための手段】
【０００８】
本考案の一態様のカバーソックス（１０，５０）は、足首及び足の甲部分を露出させる開口部（３）が設けられ、足指を覆う第１生地（１１，２１）と、第１生地（１１，２１）に縫製され、足の側面及びかかとを覆う第２生地（１２，２２）と、を備え、第１生地（１１，２１）と第２生地（１２，２２）とは重ね合わされることなく縫製され、縫製された互いの端面は当接し、開口部（３）の周縁部は、第１生地（１１，２１）の甲側の上端と、第２生地（１２，２２）の甲側の上端とにより構成され、開口部（３）の足指側の周縁部の形状は、スクエア形状である。
【考案の効果】
【０００９】
本考案によれば、靴からはみ出しにくく、不快感が少ないカバーソックスを提供することができる。
【図面の簡単な説明】
【００１０】
【図１】本実施形態のカバーソックスの上面図である。
【図２】本実施形態のカバーソックスの側面図である。
【図３】足に着用されたカバーソックスの上面図である。
【図４】足に着用されたカバーソックスの側面図である。
【図５Ａ】第１生地の平面図である。
【図５Ｂ】第２生地の平面図である。
【図５Ｃ】第３生地の平面図である。
【図６】変形例に係るカバーソックスの側面図である。
【図７】足に着用された変形例に係るカバーソックスの上面図である。
【図８】足に着用された変形例に係るカバーソックスの側面図である。
【図９Ａ】変形例における第１生地の平面図である。
【図９Ｂ】変形例における第２生地の平面図である。
【考案を実施するための形態】
【００１１】
以下、本考案のカバーソックスの実施の形態について、図面を参照して説明する。以下に説明する構成は、本考案の一実施態様であり、これに限定されない。
【００１２】
なお以下の説明において、図面中の方向Ｙは足の長さ方向を表す。前とは、足指側の方向をいい、図面中の方向Ｙ１で表される。後とは、かかと側の方向をいい、図面中の方向Ｙ２で表される。
【００１３】
また方向Ｘは長さ方向Ｙに直交する足の幅方向を表す。足の内側とは、揃えた両足の一方から他方へ向かう方向をいい、図面中の方向Ｘ１で表される。足の外側とは、内側の反対方向をいい、図面中の方向Ｘ２で表される。
【００１４】
方向Ｚは、長さ方向Ｙ及び幅方向Ｘに直交する高さ方向を表す。下とは、足底側の方向をいい、図面中の方向Ｚ１で表される。上とは、足底側と反対の足首側の方向をいい、図面中の方向Ｚ２で表される。
【００１５】
（カバーソックス）
図１は、本考案の一実施形態のカバーソックス１０を示す上面図である。図２は、カバーソックス１０の側面図である。
【００１６】
図３は、足に着用されたカバーソックス１０の上面図である。図４は、足に着用されたカバーソックス１０の側面図である。
【００１７】
図中、第１位置ＹＬは、幅方向Ｘの足の長さが最大となる長さ方向Ｙの位置をいう。第２位置ＹＳは、幅方向Ｘの足の長さが最小となる長さ方向Ｙの位置をいう。一般的に、第１位置ＹＬは足指の付け根付近に位置し、第２位置ＹＳは土踏まずに位置する。
【００１８】
カバーソックス１０には、開口部３が設けられる。カバーソックス１０は、着用者の足指、足の側面及び足底を被覆する一方、開口部３により足首及び足の甲部分を露出させる。そのため、パンプス、ローファー等の靴の履き口からはみ出しにくい。
【００１９】
（生地）
カバーソックス１０は、第１生地１１、第２生地１２及び第３生地１３を備える。各生地１１〜１３は、いずれも伸縮性を有する編地である。
【００２０】
第１生地１１は、足指の側面及び上部を覆う。第２生地１２は、足の側面及びかかとを覆う。第３生地１３は、足底を覆う。
【００２１】
図５Ａは、第１生地１１の平面図である。図５Ｂは、第２生地１２の平面図である。  図５Ｃは、第３生地１３の平面図である。
【００２２】
第１生地１１は台形状であり、足指上部に配置される。第１生地１１の足底側の下端１１１は、幅方向Ｘの一方の側端１１３から他方の側端１１３へ丸くカーブして延びる。第１生地１１の甲側の上端１１２は、一方の側端１１３から他方の側端１１３へ直線状に延びる。
【００２３】
第１生地１１の幅方向Ｘ両側の側端１１３は、足指の下側に位置する下端１１１から斜め上方の甲側に延びて、上端１１２に至る。本実施形態において、上端１１２は第１位置ＹＬにある。
【００２４】
第２生地１２は半楕円形状であり、足の周囲に配置される。
【００２５】
第２生地１２の甲側の上端１２１は、幅方向Ｘ内側の第１位置ＹＬからかかとを経由して幅方向Ｘ外側の第１位置ＹＬへ延びる。第２生地１２の足底側の下端１２２は、幅方向Ｘ内側の足指の下側からかかとを経由して幅方向Ｘ外側の足指の下側へ延びる。
【００２６】
第２生地１２の幅方向Ｘ両側の側端１２３は、足指の下側の下端１２２から斜め上方の甲側に延びて、上端１２１に至る。本実施形態において、側端１２３は第１位置ＹＬにある上端１２１に至る。
【００２７】
第３生地１３は略楕円形状であり、足底に配置される。第３生地１３の第１位置ＹＬにおける幅方向Ｘの長さは、第２位置ＹＳにおける幅方向Ｘの長さよりも長い。
【００２８】
第１生地１１の側端１１３は、第２生地１２の側端１２３とそれぞれ縫製される。カバーソックス１０は、この縫製によって形成された第１ステッチ３１を備える。第１ステッチ３１は、第１生地１１と第２生地１２とを連結する。
【００２９】
第１生地１１と第２生地１２とは、重ね合わされることなく縫製される。そのため、第１生地１１の側端１１３の端面と第２生地１２の側端１２３の端面とが対面し、当接する。このように第１ステッチ３１においては生地の重なりがなく平面状であるため、靴を着用したときに第１ステッチ３１による圧迫がなく、不快感が少ない。
【００３０】
第１ステッチ３１は、例えばフラットシーマと呼ばれる縫製方法により形成することができる。フラットシーマは、縫い合わせる生地同士を重ねずに各生地の端面を対面させて、４本針と６本の糸を使用して縫製する方法である。
【００３１】
なお第１生地１１と第２生地１２とが重ね合わされることなく縫製されるのであれば、縫製方法はフラットシーマに限られない。例えばメローロック、オーバーロック、カバリング等の平面状の縫製部分を形成可能な縫製方法を採用できる。
【００３２】
第１生地１１の下端１１１は、第３生地１３の第１位置ＹＬより前側の周縁１３１と縫製される。また第２生地１２の下端１２２は、第３生地１３の第１位置ＹＬより後側の周縁１３２と縫製される。
【００３３】
（開口部）
開口部３の周縁部は、第１生地１１の上端１１２と第２生地１２の上端１２１とにより構成される。開口部３は、カバーソックス１０の履き口であり、足首及び足の甲部分を露出させる。
【００３４】
露出させる甲部分の大きさは、第１生地１１の上端１１２の位置によって調整することができる。例えば履き口が広い靴の場合は第１生地１１の上端１１２の位置を第１位置ＹＬよりも前側に調整すればよい。
【００３５】
第１生地１１の上端１１２は直線状であり、同じく直線状の第２生地１２の上端１２１と交差するため、開口部３の足指側の周縁部はスクエア形状を有する。したがって、カバーソックス１０の着用者がローファー等の足指側の履き口がスクエア形状の靴を履いたときにも、カバーソックス１０がはみ出しにくい。
【００３６】
本実施形態において、スクエア形状の周縁部の角の角度θは、略９０°である。略９０°とは、９０°±１０°をいう。すなわち、第１生地１１の上端１１２と第２生地１２の上端１２１とが、略９０°の角度で交差する。
【００３７】
なおスクエア形状の周縁部の角は、直線部分に比べて伸縮作用の影響を受けやすいが、角に設けられた第１ステッチ３１により、角における強度を高めることができる。
【００３８】
図２に示すように、カバーソックス１０のかかとから足指の先までの下端のライン、すなわち第１生地１１の下端１１１及び第２生地１２の下端１２２のラインは、湾曲形状を有する。具体的には、当該ラインは高さ方向Ｚ下側に突出するように湾曲する。
【００３９】
このような第１生地１１及び第２生地１２に連結された第３生地１３は、非着用時に高さ方向下側に湾曲するが、着用時には逆方向の上側に湾曲する。アーチ形状の足底にフィットする立体形状が形成されるため、脱げにくいカバーソックス１０を提供できる。
【００４０】
具体的には、図３に示すように、第２位置ＹＳにおけるカバーソックス１０の幅方向Ｘ両側の側端が、第１位置ＹＬにおける側端よりも幅方向中心側に位置する。
【００４１】
また図４に示すように、第２位置ＹＳにおけるカバーソックス１０の足底側の下端の高さ位置が、第１位置ＹＬにおける下端よりも高くなる。
【００４２】
非着用時のカバーソックス１０の下端のラインが湾曲せずに、かかとから足指の先まで高さ位置が変わらず水平である場合、上記のような立体形状は形成されない。着用時のカバーソックス１０の側端の位置及び下端の高さ位置は、第１位置ＹＬにおいても第２位置ＹＳにおいても同じ位置にある。
【００４３】
よって、第３生地１３がアーチ形状の足底にフィットせず、だぶつきが生じる。図３及び図４においてだぶつきは斜線で表される。本実施形態によれば、第１生地１１及び第２生地１２の形状によりこのだぶつきを解消でき、歩行時にも脱げにくいカバーソックス１０を提供できる。
【００４４】
なお足の内側の方が足の外側よりもアーチの湾曲の度合いが大きい。よって、内側と外側とでカバーソックス１０の下端のラインの湾曲の度合いが異なっていてもよい。
【００４５】
カバーソックス１０は、開口部３の周縁部に平ゴム等のすべり止め部材４１を備える。またカバーソックス１０は、第２生地１２のかかとに当接する部分にシリコーン等のすべり止め部材４２を備える。これらすべり止め部材４１及び４２により、より脱げにくいカバーソックス１０を提供できる。
【００４６】
以上のように、本実施形態によれば、開口部３の周縁部がスクエア形状であり、履き口がスクエア形状の靴であってもはみ出しにくいカバーソックス１０を提供できる。このスクエア形状を形成する、第１生地１１及び第２生地１２は重ね合わされることなく平面状に縫製されるため、縫製部分の圧迫による不快感を減らすことができる。
【００４７】
なお本考案は、これらの実施形態に限定されず、その要旨の範囲内で種々の変形及び変更が可能である。
例えば、第１生地１１と第２生地１２とは、下記変形例のように縫製されてもよい。
【００４８】
〔変形例〕
図６は、変形例に係るカバーソックス５０を示す側面図である。図７及び図８は、それぞれ足に着用されたカバーソックス５０の上面図及び側面図である。上述したカバーソックス１０と同じ構成部分には同じ符号が付される。
【００４９】
カバーソックス５０は、上述したカバーソックス１０の第１生地１１及び第２生地１２の代わりにそれぞれ第１生地２１及び第２生地２２を備える。
図９Ａは、第１生地２１の平面図である。図９Ｂは、第２生地２２の平面図である。
【００５０】
またカバーソックス５０は、第１ステッチ３１の代わりに第２ステッチ３２により第１生地２１と第２生地２２とを連結する。
【００５１】
第１生地２１の下端２１１は、足指の前側を丸くカーブしながら第２位置ＹＳまで延びる。甲側に配置される第１生地２１の上端２１２は、直線状に幅方向Ｘに延びる。
【００５２】
第１生地２１の側端２１３は、第１位置ＹＬにある上端２１２から斜め下方の足底側へ延びて、下端２１１に至る。本実施形態において、下端２１１は第２位置ＹＳにある。
【００５３】
第２生地２２は台形状である。一方の側端２２３から他方の側端２２３まで、第２生地２２の上端２２１は直線状に延び、下端２２２は緩やかにカーブする。
【００５４】
第２生地２２の幅方向Ｘ両側の側端２２３は、第１位置ＹＬにある上端２２１から斜め下方の足底側へ延びて、下端２２２に至る。本実施形態において、側端２２３は第２位置ＹＳにある下端２２２に至る。
【００５５】
第１生地２１と第２生地２２とは、互いの側端２１３及び２２３が縫製される。第２ステッチ３２は、この縫製によって形成され、第１生地２１と第２生地２２とを連結する。
【００５６】
第１生地２１と第２生地２２とは重ね合わされることなく縫製され、縫製された互いの端面（側端２１３及び２２３の端面）が当接する。これにより、第１ステッチ３１と同様に、靴着用時の第２ステッチ３２による圧迫がなく、不快感が少ないカバーソックス５０を提供できる。
【００５７】
カバーソックス１０と同様に、カバーソックス５０の下端のライン、すなわち第１生地２１の下端２１１及び第２生地２２の下端２２２のラインも湾曲形状を有する。
【００５８】
そのため、カバーソックス５０を着用したとき、第２位置ＹＳにおけるカバーソックス５０の下端の高さ位置は、第１位置ＹＬにおける下端よりも高い。
【００５９】
また着用時の第２位置ＹＳにおけるカバーソックス５０の幅方向Ｘ両側の側端は、第１位置ＹＬにおける側端よりも、幅方向中心側に位置する。
【００６０】
したがって、カバーソックス５０がアーチ形状の足底にフィットしやすい。非着用時のカバーソックス５０の下端のラインが直線状である場合、第１生地２１及び第２生地２２のだぶつきが生じる。図７及び図８においてだぶつきは斜線部で表される。変形例によれば、このだぶつきを減らして、脱げにくいカバーソックス５０を提供できる。
【００６１】
以上のように、変形例によっても、履き口がスクエア形状の靴からはみ出しにくく不快感が少ないだけでなく、足の形状にフィットする快適なカバーソックス５０を提供することができる。
【符号の説明】
【００６２】
１０，５０・・・カバーソックス、１１，２１・・・第１生地、１２，２２・・・第２生地、１３・・・第３生地、３・・・開口部、３１・・・第１ステッチ、３２・・・第２ステッチ、ＹＬ・・・第１位置、ＹＳ・・・第２位置
【図１】
0003225875.tif 000003
【図２】
0003225875.tif 000004
【図３】
0003225875.tif 000005
【図４】
0003225875.tif 000006
【図５Ａ】
0003225875.tif 000007
【図５Ｂ】
0003225875.tif 000008
【図５Ｃ】
0003225875.tif 000009
【図６】
0003225875.tif 000010
【図７】
0003225875.tif 000011
【図８】
0003225875.tif 000012
【図９Ａ】
0003225875.tif 000013
【図９Ｂ】
0003225875.tif 000014